(57)【要約】【課題】鏡筒の繰り出し量を自由に設定可能な多段沈胴鏡筒を構成することができる撮像装置を提供する。【解決手段】光軸回りの回転が規制された第１中間直進筒３２と、第１中間直進筒３２と嵌合して回転する第１中間回転筒３１と、第１中間直進筒３２に直進案内された第２中間直進筒４２とを備える。また、第２中間直進筒４２と嵌合し、第１中間回転筒３１と係合して回転する第２中間回転筒４１を備える。そして、第１中間直進筒３２は、内面に第２中間回転筒４１と係合し、第２中間回転筒４１の光軸方向の移動量を制御するカム溝３２ｃを有する。【選択図】図１
2010039285.tif 000002
【特許請求の範囲】
【請求項１】
光軸回りの回転が規制された第１の直進筒と、
前記第１の直進筒と嵌合して回転する第１の回転筒と、
前記第１の直進筒に直進案内された第２の直進筒と、
前記第２の直進筒と嵌合し、前記第１の回転筒と係合して回転する第２の回転筒とを備え、
前記第１の直進筒は、内面に前記第２の回転筒と係合し、前記第２の回転筒を光軸方向に移動させるためのカム溝を有することを特徴とする撮像装置。
【請求項２】
前記第１の直進筒は、内面に前記第２の直進筒の直進案内を行う直進溝と、前記カム溝と略同一軌跡の貫通溝とを有し、
前記第１の回転筒は、内面に前記第２の回転筒の係合部と係合する直進溝を有することを特徴とする請求項１記載の撮像装置。
【請求項３】
前記第２の直進筒と前記第２の回転筒は、一体的に光軸方向へ移動することを特徴とする請求項１または２記載の撮像装置。
【請求項４】
固定筒と、
前記固定筒に直進案内され、光軸方向へ移動可能な移動直進筒と、
前記移動直進筒と嵌合し、光軸方向へ移動可能な移動回転筒とを備え、
前記移動直進筒は、その内周面に前記移動直進筒より内径側に配置された直進部材の直進案内を行う直進溝と、前記移動直進筒より内径側に配置された回転部材と係合し、前記回転部材を光軸方向に移動させるためのカム溝と、前記カム溝と略同一軌跡の貫通溝とを有し、
前記移動回転筒は、その内周面に前記移動回転筒より内径側に配置された回転部材の係合部と係合する直進溝を有することを特徴とする撮像装置。
【請求項５】
前記固定筒と嵌合して回転する回転筒を備え、
前記移動回転筒は、前記回転筒と係合して回転することを特徴とする請求項４記載の撮像装置。
【請求項６】
前記回転部材は、光軸方向へ移動するレンズ群の光軸方向への移動を制御するカムを有するカム筒であることを特徴とする請求項４または５記載の撮像装置。
【請求項７】
前記移動直進筒と前記移動回転筒は、一体的に光軸方向へ移動することを特徴とする請求項４乃至６のいずれかに記載の撮像装置。
【請求項８】
光軸方向へ移動するレンズ群の光軸方向への移動を制御するカムを有するカム筒と、
直進案内され、光軸方向へ移動可能な移動直進筒と、
前記移動直進筒と嵌合し、光軸方向へ移動可能な移動回転筒とを備え、
前記移動直進筒は、その内周面に前記移動直進筒より内径側に配置された直進部材の直進案内を行う直進溝と、前記移動直進筒より内径側に配置された前記カム筒と係合し、前記カム筒を光軸方向に移動させるためのカム溝と、前記カム溝と略同一軌跡の貫通溝とを有し、
前記移動回転筒は、その内周面に前記移動回転筒より内径側に配置された前記カム筒の駆動ピンと係合する直進溝を有することを特徴とする撮像装置。
【請求項９】
前記移動直進筒は、固定筒と係合して直進案内されることを特徴とする請求項８記載の撮像装置。
【請求項１０】
前記移動直進筒と前記移動回転筒は、一体的に光軸方向へ移動することを特徴とする請求項８または９記載の撮像装置。
【発明の詳細な説明】
【技術分野】
【０００１】
本発明は、撮像装置に関し、特に、そのズーム機構に特徴のある撮像装置に関する。
【背景技術】
【０００２】
従来から、撮影時に撮像装置の本体から繰り出し、収納時に本体内へ沈胴するズーム鏡筒に関して、種々の提案がなされている。このようなズーム鏡筒は、複数の直進筒と回転筒を組み合わせて、光軸方向へ進退するように構成される。
【０００３】
複数の筒を組み合わせることによって、全長の長い鏡筒を構成することができる。また、非使用時にはそれらの筒を収納することにより、撮像装置本体の厚みを低減している。
【０００４】
特許文献１には、１つの回転筒と１つの直進筒を組み合わせた中間筒を複数用いて多段構成にした鏡筒機構が提案されている。
【特許文献１】特開２０００−１１１７８６号公報
【発明の開示】
【発明が解決しようとする課題】
【０００５】
上記特許文献１で開示された鏡筒機構では、１つの回転筒と１つの直進筒を組み合わせ、それを複数配置することにより多段構成としている。この構成では、各回転筒の回転力は、筒の光軸方向への移動をカムにより回転へ転換させることで得ている。
【０００６】
例えば、ワイドからテレへズームする過程において、一旦、結像側にレンズが移動するようなＵターン光学系では、ズーム途中で光軸方向の移動方向が変わり、移動量がゼロになることがある。
【０００７】
この時、上記機構では、筒の光軸方向への移動をカムにより回転へ転換させているので、中間筒には回転力が発生しないことになる。
【０００８】
また、従来のヘリコイドを用いた鏡筒機構においても、繰り出し方向へ一様の角度で配置されたヘリコイドを組み合わせた多段沈胴機構では、中間筒をズーム途中で光軸方向の移動方向を変化させることは困難である。
【０００９】
本発明の目的は、鏡筒の繰り出し量を自由に設定可能な多段沈胴鏡筒を構成することができる撮像装置を提供することにある。
【課題を解決するための手段】
【００１０】
上記目的を達成するために、請求項１記載の撮像装置は、光軸回りの回転が規制された第１の直進筒と、前記第１の直進筒と嵌合して回転する第１の回転筒と、前記第１の直進筒に直進案内された第２の直進筒と、前記第２の直進筒と嵌合し、前記第１の回転筒と係合して回転する第２の回転筒とを備え、前記第１の直進筒は、内面に前記第２の回転筒と係合し、前記第２の回転筒を光軸方向に移動させるためのカム溝を有することを特徴とする。
【００１１】
請求項４記載の撮像装置は、固定筒と、前記固定筒に直進案内され、光軸方向へ移動可能な移動直進筒と、前記移動直進筒と嵌合し、光軸方向へ移動可能な移動回転筒とを備え、前記移動直進筒は、その内周面に前記移動直進筒より内径側に配置された直進部材の直進案内を行う直進溝と、前記移動直進筒より内径側に配置された回転部材と係合し、前記回転部材を光軸方向に移動させるためのカム溝と、前記カム溝と略同一軌跡の貫通溝とを有し、前記移動回転筒は、その内周面に前記移動回転筒より内径側に配置された回転部材の係合部と係合する直進溝を有することを特徴とする。
【００１２】
請求項８記載の撮像装置は、光軸方向へ移動するレンズ群の光軸方向への移動を制御するカムを有するカム筒と、直進案内され、光軸方向へ移動可能な移動直進筒と、前記移動直進筒と嵌合し、光軸方向へ移動可能な移動回転筒とを備え、前記移動直進筒は、その内周面に前記移動直進筒より内径側に配置された直進部材の直進案内を行う直進溝と、前記移動直進筒より内径側に配置された前記カム筒と係合し、前記カム筒を光軸方向に移動させるためのカム溝と、前記カム溝と略同一軌跡の貫通溝とを有し、前記移動回転筒は、その内周面に前記移動回転筒より内径側に配置された前記カム筒の駆動ピンと係合する直進溝を有することを特徴とする。
【発明の効果】
【００１３】
本発明の撮像装置によれば、鏡筒の繰り出し量を自由に設定可能な多段沈胴鏡筒を構成することができる。
【発明を実施するための最良の形態】
【００１４】
以下、本発明を図面を参照しながら詳細に説明する。
【００１５】
（第１の実施の形態）
図１は、本発明の第１の実施の形態に係る撮像装置の撮影時のワイド状態の鏡筒の構成図である。図２は、本発明の第１の実施の形態に係る撮像装置の撮影時のテレ状態の鏡筒の構成図である。図３は、本発明の第１の実施の形態に係る撮像装置の沈胴状態の鏡筒の構成図である。図４は、本発明の第１の実施の形態に係る撮像装置の鏡筒の分解斜視図である。図５は、本発明の実施の形態に係る撮像装置の斜視図である。
【００１６】
図５に示すように、本撮像装置（カメラ）は、カメラ本体１に鏡筒（鏡筒ユニット）２を備える。
【００１７】
図１〜図３に示すように、本実施の形態の鏡筒は、４群の撮影レンズ群で構成される。１群レンズ１１は１群筒６１に、２群レンズ１２は２群ホルダ７２に、３群レンズ１３は３群ホルダ７３に保持されている。また、４群レンズ１４は４群ホルダ７４に保持され、不図示の駆動源により動力を供給され、光軸方向へ移動可能なように構成されている。
【００１８】
また、鏡筒構成は４段構成となっており、撮影時と沈胴時で鏡筒全長を変化させることができる。
【００１９】
ここで鏡筒各段の構成を説明する。
【００２０】
固定筒ユニット２０は、外側の鏡筒カバー２１、その内側の回転筒２２、固定筒２３で構成される。鏡筒カバー２１は、固定筒２３と、撮像素子１５を保持するホルダ２４と共にビス等で固定され、カメラ本体１に保持される。
【００２１】
図６は、図４の鏡筒のうちの回転筒と固定筒部分の斜視図である。
【００２２】
鏡筒カバー２１は、図６に示すように、ズームギアユニット８０を保持している。ズームギアユニット８０は、駆動源であるモータ８１と、モータ８１からの動力を伝達するギア８２〜８６を保持している。
【００２３】
このギア８６は、回転筒２２のギア２２ｇとかみ合い、回転筒２２は、固定筒２３の外周を光軸中心に回転する。固定筒２３は、内径側に直進溝２３ｓ、貫通溝２３ｋ、カム溝２３ｃを有する。回転筒２２は、内径側に直進溝２２ｓを有する。
【００２４】
図７は、図４の鏡筒のうちの第１中間筒ユニット部分の斜視図である。
【００２５】
鏡筒１段目となる、第１中間筒ユニット３０は、第１中間回転筒３１、第１中間直進筒３２で構成される。
【００２６】
ここで、第１中間直進筒３２は、光軸回りの回転が規制された第１の直進筒として機能する。また、第１中間回転筒３１は、第１の直進筒と嵌合して回転する第１の回転筒として機能する。
【００２７】
また、第１中間直進筒３２は、固定筒２３に直進案内され、光軸方向へ移動可能な移動直進筒として機能する。また、第１中間回転筒３１は、移動直進筒と嵌合し、光軸方向へ移動可能な移動回転筒として機能する。
【００２８】
第１中間直進筒３２には、突起３２ｂが設けられており、第１中間回転筒３１の径方向に設けられた溝部３１ｂ（図１）と係合するので、光軸方向へ一体的に移動する。
【００２９】
第１中間直進筒３２は、内径側（内周面）に直進溝３２ｓ、貫通溝３２ｋ、カム溝３２ｃと、外周部に直進キー部３２ｔを有する。第１中間直進筒３２は、直進キー部３２ｔと固定筒２３の直進溝２３ｓとが係合するので、直進ガイドされる。ここで、貫通溝３２ｋは、カム溝３２ｃと略同一軌跡である。
【００３０】
また、第１中間回転筒３１は、外径側に駆動ピン３１ｄ、カムピン３１ｆと、内径側に直進溝３１ｓを有する。駆動ピン３１ｄは、貫通溝３２ｋを介して回転筒２２の直進溝２２ｓと係合するので、第１中間回転筒３１は、回転筒２２と共に回転する。カムピン３１ｆは、固定筒２３のカム溝２３ｃと係合するので、カム溝２３ｃの軌跡に倣って第１中間筒ユニット３０が光軸方向へ移動する。
【００３１】
図８は、図４の鏡筒のうちの第２中間筒ユニット部分の斜視図である。
【００３２】
鏡筒２段目となる、第２中間筒ユニット４０は、上記の第１中間筒ユニット３０と同様の構成となっており、第２中間回転筒（回転部材）４１、第２中間直進筒（直進部材）４２で構成される。
【００３３】
ここで、第２中間直進筒４２は、第１の直進筒に直進案内された第２の直進筒として機能する。また、第２中間回転筒４１は、第２の直進筒と嵌合し、第１の回転筒と係合して回転する第２の回転筒として機能する。
【００３４】
第２中間直進筒４２には、突起４２ｂが設けられており、第２中間回転筒４１の径方向に設けられた溝部４１ｂ（図１）と係合するので、光軸方向へ一体的に移動する。
【００３５】
第２中間直進筒４２は、内径側に直進溝４２ｓ、貫通溝４２ｋ、カム溝４２ｃと、外周部に直進キー部４２ｔを有する。第２中間直進筒４２は、直進キー部４２ｔと第１中間直進筒３２の直進溝３２ｓとが係合するので、直進ガイドされる。
【００３６】
また、第２中間回転筒４１は、外径側に駆動ピン４１ｄ、カムピン４１ｆと、内径側に直進溝４１ｓを有する。駆動ピン４１ｄは、貫通溝３２ｋを介して、第１中間回転筒３１の直進溝３１ｓと係合するので、第２中間回転筒４１は、第１中間回転筒３１と共に回転する。カムピン４１ｆは、第１中間直進筒３２のカム溝３２ｃと係合するので、カム溝３２ｃの軌跡に倣って第２中間筒ユニット４０が光軸方向へ移動する。
【００３７】
図９は、図４の鏡筒のうちのカム筒ユニット部分の斜視図である。
【００３８】
鏡筒３段目となる、カム筒ユニット５０は、第３中間回転筒５１、カム筒５２、内直進筒５３、内直進板５４で構成される。
【００３９】
内直進筒５３は、内径側に突起部５３ａ、２群ホルダ７２（図４）の直進ガイドを行う直進ガイド溝５３ｓ２、３群ホルダ７３（図４）の直進ガイドを行う５３ｓ３を有し、外周部に１群筒ユニット６０（図４）の直進ガイドを行う直進キー部５３ｔを有する。内直進板５４は、内径側に突出部５４ａを有し、外周部に直進キー部５４ｔを有する。
【００４０】
内直進筒５３は、カム筒５２の前方より、内直進板５４は、カム筒５２の後方より、カム筒５２を挟むように構成される。内直進筒５３の突起部５３ａと、内直進板５４の突出部５４ａが係合することで、内直進筒５３と内直進板５４は、それらの中間にカム筒５２を挟み直進ガイドされた状態で固定される。
【００４１】
内直進板５４は、直進キー部５４ｔと第２中間直進筒４２の直進溝４２ｓとが係合するので、直進ガイドされる。内直進板５４が直進ガイドされることにより、内直進筒５３も直進ガイドされる。
【００４２】
また、カム筒５２は、外径側に駆動ピン５２ｄ、カムピン５２ｆを有する。駆動ピン５２ｄは、貫通溝４２ｋを介して、第２中間回転筒４１の直進溝４１ｓと係合するので、カム筒５２は、第２中間回転筒４１と共に回転する。カムピン５２ｆは、第２中間直進筒４２のカム溝４２ｃと係合するので、カム溝４２ｃの軌跡に倣ってカム筒ユニット５０が光軸方向へ移動する。
【００４３】
第３中間回転筒５１とカム筒５２は、第３中間回転筒５１の係合部５１ａと、カム筒５２の突起部５２ａとが係合し、一体的に回転する。
【００４４】
さらに、カム筒５２は、外径側に１群筒ユニット６０の移動量を制御するカム５２ｃ１、内径側に２群ホルダ７２の移動量を制御するカム５２ｃ２、３群ホルダ７３の移動量を制御するカム５２ｃ３を備える。
【００４５】
図４における１群筒ユニット６０は、図１に示すように、１群筒６１、１群カバー６２、バリア羽根６３で構成される。１群筒６１の内径側には直進溝６１ｓが設けられ、内直進筒５３の直進キー部５３ｔと係合しているので、１群筒ユニット６０は、直進ガイドされる。
【００４６】
また、１群筒６１は、カム筒５２のカム５２ｃ１と係合するカムピン６１ｆを備えている。そのため１群筒ユニット６０は、カム溝カム５２ｃ１の軌跡に倣って光軸方向へ移動する。バリア羽根６３は、不図示の駆動手段により、使用状態では開口を開き、沈胴状態では開口を閉じる。
【００４７】
以上、説明したように、本実施の形態の鏡筒（鏡筒ユニット）２は、モータ８１の駆動力により、回転筒２２が回転し、それに係合している、第１中間回転筒３１、第２中間回転筒４１、カム筒５２及び第３中間回転筒５１が共に回転する。
【００４８】
また、固定筒２３と、それに係合している、第１中間直進筒３２、第２中間直進筒４２、内直進板５４及び内直進筒５３は直進ガイドされ、１群筒ユニット６０、２群ホルダ７２、３群ホルダ７３を直進ガイドしている。
【００４９】
これらにより構成された鏡筒を撮像装置に搭載すると、図５で示すような４段沈胴構成の鏡筒２を備えた撮像装置となる。
【００５０】
図１０は、図６における固定筒の内面展開図、図１１は、図７における第１中間直進筒の内面展開図、図１２は、図８における第２中間直進筒の内面展開図である。また図１３は、図９におけるカム筒の内面展開図である。図中、主要な個所以外は不図示としている。
【００５１】
図１０に示すように、固定筒２３は、内径に直進溝２３ｓ、貫通溝２３ｋ、カム溝２３ｃを有する。貫通溝２３ｋとカム溝２３ｃは同一の軌跡となっており、貫通溝２３ｋは、第１中間回転筒３１の駆動ピン３１ｄが、回転筒２２の直進溝２２ｓと係合するために貫通している。
【００５２】
カム溝２３ｃは、第１中間回転筒３１のカムピン３１ｆと係合する。カムピン３１ｆは、ワイド状態となる時は、位置２３Ｗまで移動し、テレ状態となる時は、位置２３Ｔまで移動する。
【００５３】
図１１に示すように、第１中間直進筒３２は、内径に直進溝３２ｓ、貫通溝３２ｋ、カム溝３２ｃを有する。貫通溝３２ｋとカム溝３２ｃは同一の軌跡となっており、貫通溝３２ｋは、第２中間回転筒４１の駆動ピン４１ｄが、第１中間回転筒３１の直進溝３１ｓと係合するために貫通している。
【００５４】
カム溝３２ｃは、第２中間回転筒４１のカムピン４１ｆと係合する。カムピン４１ｆは、ワイド状態となる時は、位置３２Ｗまで移動し、テレ状態となる時は、位置３２Ｔまで移動する。
【００５５】
本実施の形態においては、固定筒２３と第１中間直進筒３２の内径カム形状は、略同一の軌跡をなしているが、カム溝、貫通溝及び直進溝の関係が成り立つのであれば異なる構成としても良い。
【００５６】
図１２に示すように、第２中間直進筒４２は、内径に直進溝４２ｓ、貫通溝４２ｋ、カム溝４２ｃを有する。貫通溝４２ｋとカム溝４２ｃは同一の軌跡となっており、貫通溝４２ｋは、カム筒５２の駆動ピン５２ｄが、第２中間回転筒４１の直進溝４１ｓと係合するために貫通している。
【００５７】
カム溝４２ｃは、カム筒５２のカムピン５２ｆと係合する。カムピン５２ｆは、ワイド状態となる時は、位置４２Ｗまで移動し、テレ状態となる時は、位置４２Ｔまで移動する。第２中間直進筒４２は、６本の直進溝４２ｓにより内直進板５４を常に直進ガイドするように構成されている。
【００５８】
図１３に示すように、カム筒５２は、内径に２群ホルダ７２の移動量を制御するカム５２ｃ２、３群ホルダ７３の移動量を制御するカム５２ｃ３を有する。カム５２ｃ２は、２群ホルダ７２のカムピン７２ｆ（図１）と係合する。
【００５９】
またカム５２ｃ３は、３群ホルダ７３のカムピン７３ｆ（図１）と係合する。カムピン７２ｆ、７３ｆは、それぞれワイド状態となる時は、位置５２ｃ２Ｗ、５２ｃ３Ｗまで移動し、テレ状態となる時は、位置５２ｃ２Ｔ、５２ｃ３Ｔまで移動する。
【００６０】
先に説明したように、カム筒５２は、内径側に各レンズ群の直進ガイドとなる、内直進筒５３と内直進板５４が光軸方向前後に挟まれるように配置されるので、カム筒５２の光軸方向の移動により、内直進筒５３及び内直進板（直進部材）５４は共に移動する。
【００６１】
そのため、第１中間回転筒３１と第１中間直進筒３２の結合関係のような、バヨネット結合構造を持たなくても良い。そのため、図１３に示すように、カム筒５２の内径側に配置されるカムは、カム筒５２の光軸方向の長さ５２Ｂを最小にすることができる。
【００６２】
また、本実施の形態においては、図１０〜図１３に示したようなカム溝及び貫通溝の軌跡となっているが、カム溝、貫通溝及び直進溝の関係が成り立つのであれば、これ以外にも自由に軌跡を設定することも可能である。
【００６３】
さらに、本実施の形態においては、中間筒ユニットを２つ（第１中間筒ユニット３０、第２中間筒ユニット４０）配置して４段沈胴鏡筒を構成したが、この実施の形態に限らず、例えば、中間筒ユニットを１つ配置すると、３段沈胴鏡筒を構成することができる。
【００６４】
同様に、中間筒ユニットを３つ配置すると、５段沈胴鏡筒を構成することができる。このように中間筒ユニットの数を変更することで、鏡筒の段数を自由に変更することもできる。
【００６５】
（第２の実施の形態）
以下に、本発明の第２の実施の形態を示す。
【００６６】
図１４は、本発明の第２の実施の形態に係る撮像装置の撮影時のワイド状態の鏡筒の構成図である。また、図１５は、本発明の第２の実施の形態に係る撮像装置の鏡筒の固定筒及びギアユニットの斜視図、図１６は、本発明の第２の実施の形態に係る撮像装置の鏡筒の第１中間筒ユニットの斜視図である。
【００６７】
本実施の形態においては、撮影レンズ群（１群レンズ１１〜４群レンズ１４）、第２中間筒ユニット４０、カム筒ユニット５０、及び１群筒ユニット６０は、第１の実施の形態と同様の構成となっている。
【００６８】
ここで鏡筒各段の構成を説明する。
【００６９】
図１５において、固定筒１２３は、撮像素子１５を保持するホルダ２４と共にビス等で固定され、カメラ本体１に保持される。
【００７０】
また、本実施の形態では、ズームギアユニット１８０は、駆動源であるモータ１８１と、モータ８１からの動力を伝達するギア１８２〜１８６と、長ギア１８７で構成され、固定筒１２３のギア保持部１２３ｎで長ギア１８７を保持している。また、固定筒１２３は、内径側に直進溝１２３ｓ、カム溝１２３ｃを有する。
【００７１】
図１６において、鏡筒１段目となる、第１中間筒ユニット１３０は、第１中間回転筒１３１、第１中間直進筒１３２で構成される。第１中間直進筒１３２には、突起１３２ｂが設けられており、第１中間回転筒１３１の径方向に設けられた溝部１３１ｂ（図１４）と係合するので、光軸方向へ一体的に移動する。
【００７２】
第１中間直進筒１３２は、第１の実施の形態と同様に、内径側に直進溝１３２ｓ、貫通溝１３２ｋ、カム溝１３２ｃと、外周部に直進キー部１３２ｔを有する。第１中間直進筒１３２は、直進キー部１３２ｔと固定筒１２３の直進溝１２３ｓとが係合するので、直進ガイドされる。
【００７３】
また、第１中間回転筒１３１は、外径側に駆動ギア１３１ｇ、カムピン１３１ｆと、内径側に直進溝１３１ｓを有する。駆動ギア１３１ｇは、長ギア１８７と係合するので、第１中間回転筒１３１は回転する。カムピン１３１ｆは、固定筒１２３のカム溝１２３ｃと係合するので、カム溝１２３ｃの軌跡に倣って第１中間筒ユニット１３０が光軸方向へ移動する。
【００７４】
鏡筒２段目となる第２中間筒ユニット４０、鏡筒３段目となるカム筒ユニット５０及び１群筒ユニット６０は、第１の実施の形態と同様に構成される。
【００７５】
図１７は、図１５における固定筒の内面展開図であり、図１８は、図１６における第１中間直進筒の内面展開図である。図中、主要な個所以外は不図示としている。
【００７６】
図１７に示すように、固定筒１２３は、内径側に直進溝１２３ｓ、カム溝１２３ｃ及びギア保持部１２３ｎを有する。カム溝１２３ｃは、第１中間回転筒１３１のカムピン１３１ｆと係合する。カムピン１３１ｆは、ワイド状態となる時は、位置１２３Ｗまで移動し、テレ状態となる時は、位置１２３Ｔまで移動する。
【００７７】
図１８に示すように、第１中間直進筒１３２は、内径に直進溝１３２ｓ、貫通溝１３２ｋ、カム溝１３２ｃを有する。貫通溝１３２ｋとカム溝１３２ｃは同一の軌跡となっており、貫通溝１３２ｋは、第２中間回転筒４１の駆動ピン４１ｄが、第１中間回転筒１３１の直進溝１３１ｓと係合するために貫通している。
【００７８】
カム溝１３２ｃは、第２中間回転筒４１のカムピン４１ｆと係合する。カムピン４１ｆは、ワイド状態となる時は、位置１３２Ｗまで移動し、テレ状態となる時は、位置１３２Ｔまで移動する。
【００７９】
本実施の形態においては、固定筒１２３と第１中間直進筒１３２の内径カム形状は、略同一の軌跡をなしているが、カム溝、貫通溝及び直進溝の関係が成り立つのであれば異なる構成としても良い。また、貫通溝の側壁にカム溝を設ける構成であっても良い。
【００８０】
さらに、本実施の形態においても、第１の実施の形態と同様、中間筒ユニットを２つ配置して４段沈胴鏡筒を構成したが、この実施の形態に限らず、例えば、中間筒ユニットを１つ配置すると、３段沈胴鏡筒を構成することができる。
【００８１】
同様に中間筒ユニットを３つ配置すると、５段沈胴鏡筒を構成することができる。このように、中間筒ユニットの数を変更することで、鏡筒の段数を自由に変更することもできる。
【図面の簡単な説明】
【００８２】
【図１】本発明の第１の実施の形態に係る撮像装置の撮影時のワイド状態の鏡筒の構成図である。
【図２】本発明の第１の実施の形態に係る撮像装置の撮影時のテレ状態の鏡筒の構成図である。
【図３】本発明の第１の実施の形態に係る撮像装置の沈胴状態の鏡筒の構成図である。
【図４】本発明の第１の実施の形態に係る撮像装置の鏡筒の分解斜視図である。
【図５】本発明の実施の形態に係る撮像装置の斜視図である。
【図６】図４の鏡筒のうちの回転筒と固定筒部分の斜視図である。
【図７】図４の鏡筒のうちの第１中間筒ユニット部分の斜視図である。
【図８】図４の鏡筒のうちの第２中間筒ユニット部分の斜視図である。
【図９】図４の鏡筒のうちのカム筒ユニット部分の斜視図である。
【図１０】図６における固定筒の内面展開図である。
【図１１】図７における第１中間直進筒の内面展開図である。
【図１２】図８における第２中間直進筒の内面展開図である。
【図１３】図９におけるカム筒の内面展開図である。
【図１４】本発明の第２の実施の形態に係る撮像装置の撮影時のワイド状態の鏡筒の構成図である。
【図１５】本発明の第２の実施の形態に係る撮像装置の鏡筒の固定筒及びギアユニットの斜視図である。
【図１６】本発明の第２の実施の形態に係る撮像装置の鏡筒の第１中間筒ユニットの斜視図である。
【図１７】図１５における固定筒の内面展開図である。
【図１８】図１６における第１中間直進筒の内面展開図である。
【符号の説明】
【００８３】
１  カメラ本体
２  鏡筒
１１  １群レンズ
１２  ２群レンズ
１３  ３群レンズ
１４  ４群レンズ
１５  撮像素子
２３  固定筒
３１  第１中間回転筒
３１ｓ  係合溝
３２  第１中間直進筒
３２ｃ  カム溝
３２ｋ  貫通溝
３２ｓ  直進溝
４１  第２中間回転筒
４１ｓ  直進溝
４２  第２中間直進筒
４２ｃ  カム溝
５０  カム筒ユニット
５１  第３中間回転筒
５２  カム筒
５２ｄ  駆動ピン
【図１】
2010039285.tif 000003
【図２】
2010039285.tif 000004
【図３】
2010039285.tif 000005
【図４】
2010039285.tif 000006
【図５】
2010039285.tif 000007
【図６】
2010039285.tif 000008
【図７】
2010039285.tif 000009
【図８】
2010039285.tif 000010
【図９】
2010039285.tif 000011
【図１０】
2010039285.tif 000012
【図１１】
2010039285.tif 000013
【図１２】
2010039285.tif 000014
【図１３】
2010039285.tif 000015
【図１４】
2010039285.tif 000016
【図１５】
2010039285.tif 000017
【図１６】
2010039285.tif 000018
【図１７】
2010039285.tif 000019
【図１８】
2010039285.tif 000020